(57)【要約】【課題】ユーザのニーズに応じた施設の選定を行うことが可能になる、施設案内システム、施設案内方法、及び施設案内プログラムを提供すること。【解決手段】施設案内システム１は、施設利用条件情報ＤＢ４２ｂに格納されている施設利用条件情報の中から、指定された第１施設情報に対応する第１施設利用条件情報を取得する第１取得部４１ａと、施設利用条件情報ＤＢ４２ｂに格納されている施設利用条件情報の中から、第１取得部４１ａにて取得された第１施設利用条件情報に含まれる施設の利用条件のうち少なくとも一部よりも優れた利用条件を含む第２施設利用条件情報を抽出し、施設利用条件情報ＤＢ４２ｂに格納されている施設情報の中から、当該抽出された第２施設利用条件情報に対応する第２施設情報を取得する第２取得部４１ｂと、第２取得部４１ｂにて取得された第２施設情報をディスプレイ２０を介して案内する案内部４１ｃとを備えている。【選択図】図１
2015190932.tif 000002
【特許請求の範囲】
【請求項１】
地図上に設定された施設を特定する施設情報を含む地図情報を格納する地図情報格納手段と、
前記施設情報と、前記施設の利用条件を特定する施設利用条件情報とを相互に関連付けて格納する施設利用条件情報格納手段と、
前記地図情報格納手段に格納されている前記施設情報の中から、案内対象候補となる施設情報である第１施設情報が所定方法で指定された場合に、前記施設利用条件情報格納手段に格納されている前記施設利用条件情報の中から、当該指定された前記第１施設情報に対応する第１施設利用条件情報を取得する第１取得手段と、
前記施設利用条件情報格納手段に格納されている前記施設利用条件情報の中から、前記第１取得手段にて取得された前記第１施設利用条件情報に含まれる前記施設の利用条件のうち少なくとも一部と同等以上又はそれよりも優れた利用条件を含む第２施設利用条件情報を抽出し、前記施設利用条件情報格納手段に格納されている前記施設情報の中から、当該抽出された前記第２施設利用条件情報に対応する第２施設情報を取得する第２取得手段と、
前記第２取得手段にて取得された前記第２施設情報を出力手段を介して案内する案内手段と、
を備えた施設案内システム。
【請求項２】
前記案内手段は、
前記施設利用条件情報格納手段に格納された前記施設利用条件情報に基づいて、前記施設の利用条件の種類を示す優位条件情報であって、前記第２取得手段にて取得された前記第２施設情報に対応する前記第２施設利用条件情報に含まれる前記施設の利用条件の少なくとも一部が、前記第１施設利用条件情報に含まれる前記施設の利用条件と同等以上又はそれよりも優れた利用条件である旨を示す優位条件情報を生成し、当該生成された前記優位条件情報を前記出力手段に出力させる、
請求項１に記載の施設案内システム。
【請求項３】
前記出力手段は、前記地図情報に基づいて地図を表示する表示手段であり、
前記案内手段は、
前記地図情報と、前記第２取得手段にて取得された前記第２施設情報と、当該案内手段にて生成された前記優位条件情報とに基づいて、前記地図上における前記施設のうち当該取得された前記第２施設情報に対応する前記施設の各々と対応する位置に、当該施設に対応する前記第２施設情報及び前記優位条件情報を前記表示手段に表示させる、
請求項２に記載の施設案内システム。
【請求項４】
前記案内手段は、
当該案内手段にて生成された前記優位条件情報のうち、最も優れた前記施設の利用条件である旨を示す前記優位条件情報を識別可能に表示させる、
請求項３に記載の施設案内システム。
【請求項５】
前記出力手段は、前記地図情報に基づいて地図を表示する表示手段であり、
前記第１取得手段は、
前記案内手段にて前記地図上に表示された前記第２施設情報の中から、次の案内対象候補となる施設情報である次の前記第１施設情報が所定方法で指定された場合に、前記施設利用条件情報格納手段に格納されている前記施設利用条件情報の中から、当該指定された前記次の第１施設情報に対応する次の前記第１施設利用条件情報を取得し、
前記第２取得手段は、
前記施設利用条件情報格納手段に格納されている前記施設利用条件情報の中から、前記第１取得手段にて取得された前記次の第１施設利用条件情報に含まれる前記施設の利用条件のうち少なくとも一部と同等以上又はそれよりも優れた利用条件を含む次の前記第２施設利用条件情報を抽出し、前記施設利用条件情報格納手段に格納されている前記施設情報の中から、当該抽出された前記次の第２施設利用条件情報に対応する次の前記第２施設情報を取得し、
前記案内手段は、
前記第２取得手段にて取得された前記次の第２施設情報を前記表示手段に表示させる、
請求項１又は２に記載の施設案内システム。
【請求項６】
第１取得手段が、地図情報格納手段に格納されている地図情報に含まれている地図上に設定された施設を特定する施設情報の中から、案内対象候補となる施設情報である第１施設情報が所定方法で指定された場合に、施設利用条件情報格納手段に前記施設情報と相互に関連づけて格納されている施設利用条件情報であって、前記施設の利用条件を特定する施設利用条件情報の中から、当該指定された前記第１施設情報に対応する第１施設利用条件情報を取得する第１取得ステップと、
第２取得手段が、前記施設利用条件情報格納手段に格納されている前記施設利用条件情報の中から、前記第１取得ステップにおいて取得された前記第１施設利用条件情報に含まれる前記施設の利用条件のうち少なくとも一部と同等以上又はそれよりも優れた利用条件を含む第２施設利用条件情報を抽出し、前記施設利用条件情報格納手段に格納されている前記施設情報の中から、当該抽出された前記第２施設利用条件情報に対応する第２施設情報を取得する第２取得ステップと、
案内手段が、前記第２取得ステップにおいて取得された前記第２施設情報を出力手段を介して案内する案内ステップと、
を含む施設案内方法。
【請求項７】
コンピュータは、
地図上に設定された施設を特定する施設情報を含む地図情報を格納する地図情報格納手段と、
前記施設情報と、前記施設の利用条件を特定する施設利用条件情報とを相互に関連付けて格納する施設利用条件情報格納手段と、を備え、
前記コンピュータを、
前記地図情報格納手段に格納されている前記施設情報の中から、案内対象候補となる施設情報である第１施設情報が所定方法で指定された場合に、前記施設利用条件情報格納手段に格納されている前記施設利用条件情報の中から、当該指定された前記第１施設情報に対応する第１施設利用条件情報を取得する第１取得手段と、
前記施設利用条件情報格納手段に格納されている前記施設利用条件情報の中から、前記第１取得手段にて取得された前記第１施設利用条件情報に含まれる前記施設の利用条件のうち少なくとも一部と同等以上又はそれよりも優れた利用条件を含む第２施設利用条件情報を抽出し、前記施設利用条件情報格納手段に格納されている前記施設情報の中から、当該抽出された前記第２施設利用条件情報に対応する第２施設情報を取得する第２取得手段と、
前記第２取得手段にて取得された前記第２施設情報を出力手段を介して案内する案内手段と、
として機能させるための施設案内プログラム。
【発明の詳細な説明】
【技術分野】
【０００１】
本発明は、施設案内システム、施設案内方法、及び施設案内プログラムに関する。
【背景技術】
【０００２】
従来から、経路探索の際に目的地とする施設を案内する技術の一つとして、ユーザによって入力された地点近傍の駐車場を検索し、当該検索された駐車場の中から、現時点で営業しており、且つ、ユーザの車両の車幅や車高等に合致している駐車場を抽出し、当該抽出された駐車場を単位時間あたりの料金が安い順に表示手段に表示することにより、施設の案内を行うシステムが提案されている（例えば、特許文献１参照）。
【先行技術文献】
【特許文献】
【０００３】
【特許文献１】特開２００１−３４９７４０号公報
【発明の概要】
【発明が解決しようとする課題】
【０００４】
しかしながら、上記従来システムにおいては、表示手段に表示された駐車場の中から単位時間あたりの料金以外の条件（例えば、駐車場の営業時間や１台あたりの駐車スペースの広さ等）で優れている駐車場の案内が行われなかったので、ユーザのニーズに応じた駐車場を選定することが非常に難しかった。
【０００５】
本発明は、上記に鑑みてなされたものであって、ユーザのニーズに応じた駐車場の如き施設の選定を行うことが可能になる、施設案内システム、施設案内方法、及び施設案内プログラムを提供することを目的とする。
【課題を解決するための手段】
【０００６】
上述した課題を解決し、目的を達成するために、本発明に係る施設案内システムは、地図上に設定された施設を特定する施設情報を含む地図情報を格納する地図情報格納手段と、前記施設情報と、前記施設の利用条件を特定する施設利用条件情報とを相互に関連付けて格納する施設利用条件情報格納手段と、前記地図情報格納手段に格納されている前記施設情報の中から、案内対象候補となる施設情報である第１施設情報が所定方法で指定された場合に、前記施設利用条件情報格納手段に格納されている前記施設利用条件情報の中から、当該指定された前記第１施設情報に対応する第１施設利用条件情報を取得する第１取得手段と、前記施設利用条件情報格納手段に格納されている前記施設利用条件情報の中から、前記第１取得手段にて取得された前記第１施設利用条件情報に含まれる前記施設の利用条件のうち少なくとも一部と同等以上又はそれよりも優れた利用条件を含む第２施設利用条件情報を抽出し、前記施設利用条件情報格納手段に格納されている前記施設情報の中から、当該抽出された前記第２施設利用条件情報に対応する第２施設情報を取得する第２取得手段と、前記第２取得手段にて取得された前記第２施設情報を出力手段を介して案内する案内手段と、を備えている。
【０００７】
また、本発明に係る施設案内方法は、第１取得手段が、地図情報格納手段に格納されている地図情報に含まれている地図上に設定された施設を特定する施設情報の中から、案内対象候補となる施設情報である第１施設情報が所定方法で指定された場合に、施設利用条件情報格納手段に前記施設情報と相互に関連づけて格納されている施設利用条件情報であって、前記施設の利用条件を特定する施設利用条件情報の中から、当該指定された前記第１施設情報に対応する第１施設利用条件情報を取得する第１取得ステップと、第２取得手段が、前記施設利用条件情報格納手段に格納されている前記施設利用条件情報の中から、前記第１取得ステップにおいて取得された前記第１施設利用条件情報に含まれる前記施設の利用条件のうち少なくとも一部と同等以上又はそれよりも優れた利用条件を含む第２施設利用条件情報を抽出し、前記施設利用条件情報格納手段に格納されている前記施設情報の中から、当該抽出された前記第２施設利用条件情報に対応する第２施設情報を取得する第２取得ステップと、案内手段が、前記第２取得ステップにおいて取得された前記第２施設情報を出力手段を介して案内する案内ステップと、を含んでいる。
【０００８】
また、本発明に係る施設案内プログラムは、コンピュータは、地図上に設定された施設を特定する施設情報を含む地図情報を格納する地図情報格納手段と、前記施設情報と、前記施設の利用条件を特定する施設利用条件情報とを相互に関連付けて格納する施設利用条件情報格納手段と、を備え、前記コンピュータを、前記地図情報格納手段に格納されている前記施設情報の中から、案内対象候補となる施設情報である第１施設情報が所定方法で指定された場合に、前記施設利用条件情報格納手段に格納されている前記施設利用条件情報の中から、当該指定された前記第１施設情報に対応する第１施設利用条件情報を取得する第１取得手段と、前記施設利用条件情報格納手段に格納されている前記施設利用条件情報の中から、前記第１取得手段にて取得された前記第１施設利用条件情報に含まれる前記施設の利用条件のうち少なくとも一部と同等以上又はそれよりも優れた利用条件を含む第２施設利用条件情報を抽出し、前記施設利用条件情報格納手段に格納されている前記施設情報の中から、当該抽出された前記第２施設利用条件情報に対応する第２施設情報を取得する第２取得手段と、前記第２取得手段にて取得された前記第２施設情報を出力手段を介して案内する案内手段と、として機能させるための施設案内プログラムである。
【発明の効果】
【０００９】
上記の施設案内システム、施設案内方法、又は施設案内プログラムによれば、施設利用条件情報格納手段に格納されている施設利用条件情報の中から、所定方法で指定された第１施設情報に対応する第１施設利用条件情報に含まれる施設の利用条件のうち少なくとも一部と同等以上又はそれよりも優れた利用条件を含む第２施設利用条件情報を抽出し、施設利用条件情報格納手段に格納されている施設情報の中から、当該抽出された第２施設利用条件情報に対応する第２施設情報を取得し、当該取得された第２施設情報を出力手段を介して案内するので、従来のシステムに比べて、ユーザのニーズに応じた施設の選定を行うことができるため、使用性を向上させることが可能となる。
【図面の簡単な説明】
【００１０】
【図１】本発明の実施の形態１に係る施設案内システムを例示するブロック図である。
【図２】施設利用条件情報ＤＢの構成例を示す図である。
【図３】実施の形態１に係る施設案内処理のフローチャートである。
【図４】地図設定処理のフローチャートである。
【図５】ＰＯＩ設定処理のフローチャートである。
【図６】地図上に表示された第１施設情報が指定されている状態を示す図である。
【図７】第２施設情報が地図上に表示されている状態を示す図である。
【図８】第２施設情報が地図上に表示されている状態を示す図である。
【図９】第１施設リストの表示例を示す図である。
【図１０】第２施設リスト及び目的地設定画面の表示例を示す図である。
【図１１】実施の形態２に係る地図設定処理のフローチャートである。
【図１２】第２施設情報が地図上に表示されている状態を示す図である。
【発明を実施するための形態】
【００１１】
以下、本発明に係る施設案内システム、施設案内方法、及び施設案内プログラムの実施の形態について図面を参照しつつ詳細に説明する。ただし、実施の形態によって本発明が限定されるものではない。
【００１２】
〔実施の形態の基本的概念〕
まずは、実施の形態の基本的概念について説明する。実施の形態は、概略的に、探索される経路の目的地となる施設を案内する施設案内システム、施設案内方法、及び施設案内プログラムに関するものである。
【００１３】
ここで、「施設」とは、地図上に設定された建物、設備等を意味する。この施設は、例えば、駐車場、コンビニエンスストア、レストラン、宿泊施設等を含む概念であるが、実施の形態では、駐車場について説明する。
【００１４】
また、実施の形態では、公知の車載用ナビゲーション装置（以下、施設案内装置）に施設案内プログラムをインストールすることにより、施設案内装置が施設案内システムとして機能する場合について説明するが、この他にも、スマートフォンや携帯用ナビゲーション装置を含む任意の装置によって施設案内システムを構成してもよい。また、施設案内システムにおける施設案内装置としての機能については、公知の車載用ナビゲーション装置と同様の構成により得ることができるので、その説明は省略することとする。
【００１５】
（実施の形態の具体的内容）
次に、実施の形態の具体的内容について説明する。
【００１６】
〔実施の形態１〕
まず、実施の形態１に係る施設案内システムについて説明する。この実施の形態１は、第２施設情報を地図上に表示したり、又はリストに表示する形態である。
【００１７】
（構成）
最初に、実施の形態１に係る施設案内システムの構成を説明する。図１は、本発明の実施の形態１に係る施設案内システムを例示するブロック図である。施設案内システム１は、探索される経路の目的地となる施設を案内するシステムである。この施設案内システム１は、操作部１０、ディスプレイ２０、スピーカ３０、及び施設案内装置４０を備えている。以下では、施設案内装置４０が設けられた車両（以下、自車両）が、四輪自動車や二輪自動車である場合について説明する。
【００１８】
（構成−操作部）
操作部１０は、モバイル端末の所持者による操作入力を受け付ける操作手段である。この操作部１０としては、例えば、タッチパネル、リモートコントローラの如き遠隔操作手段、あるいはハードスイッチ等、公知の操作手段を用いて構成されている。
【００１９】
（構成−ディスプレイ）
ディスプレイ２０は、後述する施設案内装置４０の制御部４１の制御に基づいて各種の画像を表示する表示手段である。このディスプレイ２０としては、例えば、公知の液晶ディスプレイや有機ＥＬディスプレイの如きフラットパネルディスプレイを用いることができる。
【００２０】
（構成−スピーカ）
スピーカ３０は、後述する施設案内装置４０の制御部４１の制御に基づいて各種の音声を出力する出力手段である。スピーカ３０より出力される音声の具体的な態様は任意であり、必要に応じて生成された合成音声や、予め録音された音声を出力することができる。
【００２１】
（構成−施設案内装置）
施設案内装置４０は、探索される経路の目的地となる施設を案内する装置である。図１に示すように、施設案内装置４０は、制御部４１、及びデータ記録部４２を備えている。
【００２２】
（構成−施設案内装置−制御部）
制御部４１は、施設案内装置４０を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態１に係る施設案内プログラムは、任意の記録媒体又はネットワークを介して施設案内装置４０にインストールされることで、制御部４１の各部を実質的に構成する。
【００２３】
また、この制御部４１は、図１に示すように、機能概念的に、第１取得部４１ａ、第２取得部４１ｂ、案内部４１ｃ、及び経路探索部４１ｄを備えている。
【００２４】
第１取得部４１ａは、後述する第１施設利用条件情報を取得する第１取得手段である。第２取得部４１ｂは、後述する第２施設情報を取得する第２取得手段である。案内部４１ｃは、所定情報を、ディスプレイ２０やスピーカ３０を介して施設案内装置４０のユーザに案内する案内手段である。経路探索部４１ｄは、経路を探索する経路探索手段である。
【００２５】
（構成−施設案内装置−データ記録部）
データ記録部４２は、施設案内装置４０の動作に必要なプログラム及び各種のデータを記録する記録手段である。このデータ記録部４２は、例えば、外部記録装置としてのハードディスク（図示省略）を用いて構成されている。ただし、ハードディスクに代えてあるいはハードディスクと共に、磁気ディスクの如き磁気的記録媒体、又はＤＶＤやブルーレイディスクの如き光学的記録媒体を含む、その他の任意の記録媒体を用いることができる。
【００２６】
また、このデータ記録部４２は、地図情報データベース（以下、データベースを「ＤＢ」と称する）４２ａ、及び施設利用条件情報ＤＢ４２ｂを備えている。
【００２７】
地図情報ＤＢ４２ａは、地図情報を格納する地図情報格納手段である。ここで、「地図情報」とは、道路、道路構造物、施設等を含む各種の位置の特定に必要な情報であり、例えば、道路上に設定された各ノードに関するノードデータ（例えばノード番号、座標等）や、道路上に設定された各リンクに関するリンクデータ（例えばリンクＩＤ、リンク名、接続ノード番号、道路座標、道路種別、車線数等）、地物データ（例えば信号機、道路標識、ガードレール、施設等）、地形データ等を含んで構成されている。また、この地図情報は、施設情報を含んで構成されている。ここで、「施設情報」とは、施設を特定する情報であり、例えば、施設の名称を特定する施設名情報、施設の座標を特定する施設座標情報、施設の住所を特定する施設住所情報、及び施設の種類を特定する施設種類情報等を含む概念である。この施設情報は、例えば、地物データと関連付けて格納されている。
【００２８】
施設利用条件情報ＤＢ４２ｂは、施設情報と、施設利用条件情報とを相互に関連づけて格納する施設利用条件情報格納手段である。ここで、「施設利用条件情報」とは、施設の利用条件を特定する情報であり、例えば、後述する単位時間あたりの料金情報、後述する営業時間情報、後述する１台あたりの広さ情報、後述する駐車場所情報、後述する提携施設情報等を含む概念である。
【００２９】
図２は、施設利用条件情報ＤＢ４２ｂの構成例を示す図である。図２に示すように、施設利用条件情報ＤＢ４２ｂは、項目「施設名」、項目「施設座標」、項目「施設種類」、項目「単位時間あたりの料金」、項目「営業時間」、項目「１台あたりの広さ」、項目「駐車場所」、及び項目「提携施設の有無」と、各項目に対応する情報とを、相互に関連付けて構成されている。ここで、項目「施設名」に対応する情報は、施設名情報である。また、項目「施設座標」に対応する情報は、施設座標情報である。また、項目「単位時間あたりの料金」に対応する情報は、施設における単位時間あたりの料金を特定する単位時間あたりの料金情報である。また、項目「営業時間」に対応する情報は、施設の営業時間を特定する営業時間情報である。また、項目「１台あたりの広さ」に対応する情報は、駐車可能な車両の１台あたりの駐車スペースの広さを特定する１台あたりの広さ情報である。また、項目「駐車場所」に対応する情報は、駐車場所（例えば、屋内又は屋外等）を特定する駐車場所情報である。また、項目「提携施設の有無」に対応する情報は、提携施設（例えば、特定の施設を利用した際の利用金額等に基づいて、駐車料金の値引きが受けられる場合における当該施設）の有無を特定する提携施設情報である。なお、これら単位時間あたりの料金情報、営業時間情報、１台あたりの広さ情報、駐車場所情報、及び提携施設情報の各々は、施設利用条件情報における施設の利用条件の各々を特定する情報である。
【００３０】
（処理）
次に、このように構成された施設案内システム１によって実行される施設案内処理について説明する。図３は、実施の形態１に係る施設案内処理のフローチャートである（以下の各処理の説明ではステップを「Ｓ」と略記する）。図４は、後述する地図設定処理のフローチャートである。図５は、後述するＰＯＩ設定処理のフローチャートである。この施設案内処理は、探索される経路の目的地となる施設を案内する処理であり、例えば、施設案内装置４０に電源が投入された後に起動される。
【００３１】
施設案内処理が起動されると、図３に示すように、まず、経路探索部４１ｄは、ユーザによって操作部１０を介して所定操作が受け付けられることにより、仮の目的地が設定されるまで待機する（ＳＡ１、Ｎｏ）。ここで、「仮の目的地」とは、探索される経路の目的地が設定される前の段階で、一時的に設定される目的地を意味する。
【００３２】
また、この仮の目的地の設定方法については、例えば、地図上で設定する方法と、ＰＯＩ検索を用いて設定する方法とが採用される。この「ＰＯＩ検索」とは、地図上における任意の地点の情報をＰＯＩ（Ｐｏｉｎｔｓ Ｏｆ Ｉｎｔｅｒｅｓｔ）として登録しておき、このＰＯＩの名称や住所を検索キーワードとして検索を行うことで、ＰＯＩに関連する情報を取得することを意味する。ここで、地図上で設定する方法については、具体的には、ディスプレイ２０に表示された地図上の地点のうちいずれか１つを操作部１０を介して指定することにより、仮の目的地を設定する方法が該当する。また、ＰＯＩ検索を用いて設定する方法とは、具体的には、仮の目的地に関する地名又は住所等が操作部１０を介して入力し、当該入力された地名又は住所に基づいてＰＯＩ検索を行うことにより、仮の目的地を設定する方法等が該当する。
【００３３】
そして、仮の目的地が設定されると（ＳＡ１、Ｙｅｓ）、制御部４１は、仮の目的地に位置する施設と仮の目的地の周辺とを含む領域（以下、「周辺領域」と称する。なお、この周辺領域は、例えば、仮の目的地から半径１ｋｍ以内の領域等が該当する。）に位置する施設に対応する施設情報（具体的には、施設名情報、施設座標情報、施設住所情報、及び施設種類情報）を取得する（ＳＡ２）。この施設情報の取得については、具体的には、地図情報ＤＢ４２ａに格納されている地物データの中から、周辺領域内に位置する施設が特定され、当該特定された施設に対応する施設情報が地図情報ＤＢ４２ａに格納されている施設情報から取得される。
【００３４】
次に、制御部４１は、探索される経路の目的地を地図上で設定することが決定されたか否かを判定する（ＳＡ３）。
【００３５】
具体的には、制御部４１は、ＳＡ１にて仮の目的地を設定する方法として、地図上で設定する方法、又はＰＯＩ検索を用いて設定する方法のいずれの方法が採用されたか否かを判定する。そして、地図上で設定する方法が採用されたと判定された場合に、この目的地を地図上で設定することが決定されたと判定し、ＰＯＩ検索を用いて設定する方法が採用されたと判定された場合に、この目的地を地図上で設定することが決定されなかったと判定する。
【００３６】
ここで、この目的地を地図上で設定することが決定されたと判定された場合（ＳＡ３、Ｙｅｓ）、制御部４１は、後述する地図設定処理を起動する（ＳＡ４）。一方、この目的地を地図上で設定することが決定されなかったと判定された場合（ＳＡ３、Ｎｏ）、制御部４１は、後述するＰＯＩ設定処理を起動する（ＳＡ５）。
【００３７】
そして、ＳＡ４又はＳＡ５の処理後、経路探索部４１ｄは、施設案内装置４０に設けられた図示しない現在位置取得部にて取得された自車両の現在位置を出発地に設定し、公知の経路探索手法を用いて、当該設定された出発地と、ＳＡ４又はＳＡ５にて設定された目的地とに基づいて、これら出発地から目的地に至る経路を探索する（ＳＡ６）。そして、案内部４１ｃは、ＳＡ６にて探索された経路をディスプレイ２０を介して案内し（ＳＡ７）、施設案内処理を終了する。
【００３８】
（処理−地図設定処理）
次に、図３における施設案内処理における地図設定処理（ＳＡ４）について説明する。図６は、地図上に表示された後述する第１施設情報が指定されている状態を示す図である。図７は、後述する第２施設情報が地図上に表示されている状態を示す図である。図８は、後述する第２施設情報が地図上に表示されている状態を示す図である。地図設定処理は、探索される経路の目的地を地図上で設定するための処理である。
【００３９】
図４に示すように、最初に、後述する第１施設条件情報を取得するために、制御部４１は、ＳＢ１からＳＢ３の処理を行う。
【００４０】
まず、制御部４１は、ＳＡ２にて取得された施設情報を、ディスプレイ２０に表示された地図上における対応する施設の位置にそれぞれ表示させる（ＳＢ１）。具体的には、制御部４１は、ディスプレイ２０の地図上であって、ＳＡ２にて特定された周辺領域が表示された地図上に、ＳＡ２にて特定された施設情報を重畳表示させる。ここで、施設情報の表示については、具体的には、ＳＡ２にて特定された各施設情報のうちの施設座標情報と、地図情報ＤＢ４２ａの地図情報とに基づいて、施設情報の表示位置がそれぞれ設定される。そして、この設定された各表示位置に、ＳＡ２にて特定された施設情報のうちの施設種類情報が文字や図形でそれぞれ表示される（なお、後述するＳＢ９の第２施設情報の表示についても同様とする）。
【００４１】
例えば、図６に示すように、ＳＡ２にて施設情報Ｐ１から施設情報Ｐ１４が取得された場合に、上記各施設情報の表示位置に、当該各施設情報のうちの施設種類情報（すなわち、駐車場）が所定の図形（例えば、略矩形状の枠内に「Ｐ」という文字が記された図形等）でそれぞれ表示される。
【００４２】
図４に戻り、制御部４１は、当該処理の直前に地図上に表示されている施設情報（すなわち、ＳＢ１にて表示された施設種類情報）のうちいずれか１つが操作部１０を介して選択されることにより、第１施設情報の指定が受け付けられるまで待機する（ＳＢ２、Ｎｏ）。ここで、「第１施設情報」とは、探索される経路の目的地となる施設の施設情報として案内対象候補となる施設情報を意味する。
【００４３】
そして、上記第１施設情報の指定が受け付けられると（ＳＢ２、Ｙｅｓ）、第１取得部４１ａは、ＳＢ２にて指定された第１施設情報に対応する施設利用条件情報（以下、「第１施設利用条件情報」と称する）を施設利用条件情報ＤＢ４２ｂから取得する（ＳＢ３）。
【００４４】
次に、制御部４１は、ＳＢ４からＳＢ８の間のループにおいて、ＳＢ３にて取得された第１施設利用条件情報に含まれる、単位時間あたりの料金情報、営業時間情報、１台あたりの広さ情報、駐車場所情報、及び提携施設情報をそれぞれ対象として、ＳＢ５からＳＢ７の処理を順次行う。以下、処理対象となる施設利用条件情報を「対象施設利用条件情報」と称する。
【００４５】
このループにおいて、最初に、第２取得部４１ｂは、施設利用条件情報ＤＢ４２ｂに格納されている施設利用条件情報の中から、当該処理の直前に地図上に表示されている施設情報に対応する施設利用条件情報であって、対象施設利用条件情報における施設の利用条件よりも優れた利用条件を含む施設利用条件情報（以下、「第２対象施設利用条件情報」と称する）を抽出する（ＳＢ５）。そして、施設利用条件情報ＤＢ４２ｂに格納されている施設座標情報の中から、当該抽出された第２対象施設利用条件情報に対応する施設座標情報（以下、「第２施設座標情報」と称する）を取得すると共に、地図情報ＤＢ４２ａに格納されている施設種類情報のうち、当該取得された第２施設座標情報に対応する施設種類情報（以下、「第２施設種類情報」と称する）を取得する（ＳＢ６）。ここで、「優れた」とは、施設案内装置４０のユーザにとって有益であることを意味し、例えば、対象施設利用条件情報に比べて料金が安いこと、営業時間が長いこと、駐車スペースが広いこと、駐車環境が良いこと、又は提携状態が良いこと等が該当する。なお、第２対象施設利用条件情報を含む施設座標情報は、特許請求の範囲における「第２施設利用条件情報」に対応する。
【００４６】
具体的には、第２取得部４１ｂは、施設利用条件情報ＤＢ４２ｂに格納されている施設利用条件情報であって、当該処理の直前に地図上に表示されている施設情報に対応する施設利用条件情報の各々と対象施設利用条件情報とを比較し、当該比較結果に基づいて第２対象施設利用条件情報を抽出する。そして、この抽出された第２対象施設利用条件情報に対応する第２施設座標情報及び第２施設種類情報を地図情報ＤＢ４２ａ及び施設利用条件情報ＤＢ４２ｂから取得する。
【００４７】
例えば、ＳＢ６の処理の直前に地図上に表示されている施設情報＝施設情報Ｐ１から施設情報Ｐ１４であり、第１施設情報＝施設情報Ｐ１が指定された場合において、対象施設利用条件情報＝単位時間あたりの料金情報（例えば、１００円等）であった場合に、上記当該処理の直前に地図上に表示されている施設情報に対応する施設利用条件情報の中から対象施設利用条件情報よりも料金が安い情報（例えば、９０円等）が、第２対象施設利用条件情報として抽出される。そして、この抽出された第２対象施設利用条件情報の各々に対応する施設情報Ｐ４、施設情報Ｐ６、及び施設情報Ｐ１１の各々のうちの施設座標情報及び施設種類情報が、第２施設座標情報及び第２施設種類情報として取得される。
また、対象施設利用条件情報＝営業時間情報（例えば、６：００〜２２：００等）であった場合に、上記当該処理の直前に地図上に表示されている施設情報に対応する施設利用条件情報の中から対象施設利用条件情報よりも営業時間が長い情報（例えば、０：００〜２４：００等）が、第２対象施設利用条件情報として抽出される。そして、この抽出された第２対象施設利用条件情報の各々に対応する施設情報Ｐ８、及び施設情報Ｐ１３の各々のうちの施設座標情報及び施設種類情報が、第２施設座標情報及び第２施設種類情報として取得される。
また、対象施設利用条件情報＝１台あたりの広さ情報（例えば、幅２．５ｍ×長さ５ｍ等）であった場合に、上記当該処理の直前に地図上に表示されている施設情報に対応する施設利用条件情報の中から対象施設利用条件情報よりも駐車スペースが広い情報（例えば、幅３ｍ×長さ５．５ｍ等）が、第２対象施設利用条件情報として抽出される。そして、この抽出された第２対象施設利用条件情報の各々に対応する施設情報Ｐ４、施設情報Ｐ６、及び施設情報Ｐ１３の各々のうちの施設座標情報及び施設種類情報が、第２施設座標情報及び第２施設種類情報として取得される。
また、対象施設利用条件情報＝駐車場所情報（例えば、屋外等）であった場合に、上記当該処理の直前に地図上に表示されている施設情報に対応する施設利用条件情報の中から対象施設利用条件情報よりも駐車環境が良い情報（例えば、屋内等）が、第２対象施設利用条件情報として抽出される。そして、この抽出された第２対象施設利用条件情報に対応する施設情報Ｐ３のうちの施設座標情報及び施設種類情報が、第２施設座標情報及び第２施設種類情報として取得される。
また、対象施設利用条件情報＝提携施設情報（例えば、提携施設なし等）であった場合に、上記当該処理の直前に地図上に表示されている施設情報に対応する施設利用条件情報の中から対象施設利用条件情報よりも提携状態が良い情報（例えば、提携施設あり等）が、第２対象施設利用条件情報として抽出される。そして、この抽出された第２対象施設利用条件情報に対応する施設情報Ｐ４、及び施設情報Ｐ１３の各々のうちの施設座標情報及び施設種類情報が、第２施設座標情報及び第２施設種類情報として取得される。
【００４８】
次に、案内部４１ｃは、優位条件情報を生成する（ＳＢ７）。ここで、「優位条件情報」とは、施設の利用条件の種類を示す優位条件情報であって、第２施設情報に対応する第２施設利用条件情報に含まれる施設の利用条件の少なくとも一部が、第１施設利用条件情報に含まれる施設の利用条件よりも優れた利用条件である旨を示す情報を意味する。
【００４９】
この優位条件情報の生成については、具体的には、施設利用条件情報ＤＢ４２ｂに格納された施設利用条件情報に基づいて、対象施設利用条件情報の種類（すなわち、単位時間あたりの料金情報、営業時間情報、１台あたりの広さ情報、駐車場所情報、又は提携施設情報）を一意に示す文字情報又は図形情報であって、ＳＢ６にて取得された各第２施設座標情報（又は各第２施設種類情報）に対応する第２対象施設利用条件情報が対象施設利用条件情報における施設の利用条件よりも優れた利用条件である旨を示す文字情報又は図形情報として生成される（なお、後述するＳＣ７における優位条件情報の生成についても同様とする）。
【００５０】
例えば、対象施設利用条件情報＝単位時間あたりの料金情報であった場合に取得された第２施設情報に対応する優位条件情報は、略矩形状の枠内に「料」という文字が記された図形を示す図形情報として生成される。また、対象施設利用条件情報＝営業時間情報であった場合に取得された第２施設情報に対応する優位条件情報は、略矩形状の枠内に「営」という文字が記された図形を示す図形情報として生成される。また、対象施設利用条件情報＝１台あたりの広さ情報であった場合に取得された第２施設情報に対応する優位条件情報は、略矩形状の枠内に「広」という文字が記された図形を示す図形情報として生成される。また、対象施設利用条件情報＝駐車場所情報であった場合に取得された第２施設情報に対応する優位条件情報は、略矩形状の枠内に「屋」という文字が記された図形を示す図形情報として生成される。また、対象施設利用条件情報＝提携施設情報であった場合に取得された第２施設情報に対応する優位条件情報は、略矩形状の枠内に「提」という文字が記された図形を示す図形情報として生成される。
【００５１】
その後、制御部４１は、他の施設利用条件情報を対象施設利用条件情報として、ＳＢ５からＳＢ７の処理を再び繰り返す。
【００５２】
以上のように、制御部４１は、ＳＢ４からＳＢ８の間のループにおいて、ＳＢ３にて特定された第１施設利用条件情報に含まれる、単位時間あたりの料金情報、営業時間情報、１台あたりの広さ情報、駐車場所情報、及び提携施設情報の全てを対象として、ＳＢ５からＳＢ７の処理を順次行う。
【００５３】
その後、案内部４１ｃは、各対象施設利用条件情報毎に取得された情報であって、ＳＢ６にて取得された第２施設情報（具体的には第２施設種類情報）と、ＳＢ７にて生成された優位条件情報とを、ディスプレイ２０に表示された地図上における対応する施設の位置にそれぞれ表示させる（ＳＢ９）。
【００５４】
具体的には、制御部４１は、ディスプレイ２０の地図上であって、ＳＡ２にて特定された周辺領域が表示された地図上に、ＳＢ６にて特定された第２施設種類情報と、ＳＢ７にて生成された優位条件情報とを重畳表示させる。ここで、優位条件情報の表示については、具体的には、優位条件情報と対応する第２施設種類情報の近傍位置に、当該優位条件情報が文字又は図形でそれぞれ表示される。
【００５５】
例えば、図７に示すように、ＳＢ６の処理直前に地図上に表示されている施設情報＝施設情報Ｐ１から施設情報Ｐ１４、第１施設情報＝施設情報Ｐ１であった場合において、第２施設座標情報及び第２施設種類情報＝施設情報Ｐ３、施設情報Ｐ４、施設情報Ｐ６、施設情報Ｐ８、施設情報Ｐ１１、及び施設情報Ｐ１３の各々に対応する施設座標情報及び施設種類情報が取得された場合には、ＳＢ１と同様に、当該取得された各第２施設座標情報に基づいて設定された表示位置に、対応する第２施設種類情報が所定の図形で表示される。
また、対象施設利用条件情報＝単位時間あたりの料金情報の場合に、第２施設座標情報及び第２施設種類情報＝施設情報Ｐ４、施設情報Ｐ６、及び施設情報Ｐ１１の各々に対応する施設座標情報及び施設種類情報が取得された場合には、当該取得された各第２施設種類情報に対応する優位条件情報が、当該第２施設種類情報の表示位置よりも下方位置に所定の図形（具体的には、略矩形状の枠内に「料」という文字が記された図形）で表示される。
また、対象施設利用条件情報＝営業時間情報の場合に、第２施設座標情報及び第２施設種類情報＝施設情報Ｐ８、及び施設情報Ｐ１３の各々に対応する施設座標情報及び施設種類情報が取得された場合には、当該取得された各第２施設種類情報に対応する優位条件情報が、当該第２施設種類情報の表示位置よりも下方位置に所定の図形（具体的には、略矩形状の枠内に「営」という文字が記された図形）で表示される。
また、対象施設利用条件情報＝１台あたりの広さ情報の場合に、第２施設座標情報及び第２施設種類情報＝施設情報Ｐ４、施設情報Ｐ６、及び施設情報Ｐ１３の各々に対応する施設座標情報及び施設種類情報が取得された場合には、当該取得された各第２施設座標情報に対応する優位条件情報が、当該第２施設種類情報の表示位置よりも下方位置に所定の図形（具体的には、略矩形状の枠内に「広」という文字が記された図形）で表示される。
また、対象施設利用条件情報＝駐車場所情報の場合に、第２施設座標情報及び第２施設種類情報＝施設情報Ｐ３に対応する施設座標情報及び施設種類情報が取得された場合には、当該取得された各第２施設種類情報に対応する優位条件情報が、当該第２施設種類情報の表示位置よりも下方位置に所定の図形（具体的には、略矩形状の枠内に「屋」という文字が記された図形）で表示される。
また、対象施設利用条件情報＝提携施設情報の場合に、第２施設座標情報及び第２施設種類情報＝施設情報Ｐ４、及び施設情報Ｐ１３の各々に対応する施設座標情報及び施設種類情報が取得された場合には、当該取得された各第２施設種類情報に対応する優位条件情報が、当該第２施設種類情報の表示位置よりも下方位置に所定の図形（具体的には、略矩形状の枠内に「提」という文字が記された図形）で表示される。
【００５６】
このように、施設利用条件情報ＤＢ４２ｂに格納されている施設利用条件情報の中から、所定方法で指定された第１施設情報に対応する第１施設利用条件情報に含まれる施設の利用条件のうち少なくとも一部よりも優れた利用条件を含む第２施設利用条件情報を抽出し、施設利用条件情報ＤＢ４２ｂに格納されている施設情報の中から、当該抽出された第２施設利用条件情報に対応する第２施設情報を取得し、当該取得された第２施設情報をディスプレイ２０を介して案内するので、従来のシステムに比べて、ユーザのニーズに応じた施設の選定を行うことができるため、使用性を向上させることが可能となる。
【００５７】
また、案内部４１ｃが、優位条件情報をディスプレイ２０に表示させるので、優位条件情報を参照しながら、ユーザのニーズに応じた施設の選定を行うことができるため、使用性を一層向上させることが可能となる。
【００５８】
また、案内部４１ｃが、地図上における施設のうち第２取得部４１ｂにて取得された第２施設情報に対応する施設の各々と対応する位置に、当該施設に対応する第２施設情報及び優位条件情報をディスプレイ２０に表示させるので、第２施設情報及び優位条件情報の視認性を向上させることができるため、施設の選定を容易に行うことが可能となる。
【００５９】
図４に戻り、経路探索部４１ｄは、ユーザによって操作部１０を介して所定操作が受け付けられることにより、探索される経路の目的地が設定されたか否かを判定する（ＳＢ１０）。
【００６０】
具体的には、経路探索部４１ｄは、この目的地の設定が終了したことを指示する終了選択領域Ｓ１と、この目的地の設定を再度行うことを指示する再設定選択領域Ｓ２とをディスプレイ２０に表示させ、当該表示された終了選択領域Ｓ１又は再設定選択領域Ｓ２のいずれか１つが選択されたか否かを判定する。そして、ＳＢ９にて地図上に表示された第２施設種類情報の中から、この目的地となる第２施設種類情報が操作部１０を介して指定された後に、終了選択領域Ｓ１が選択されたと判定された場合に、この目的地が設定されたと判定し、再設定選択領域Ｓ２が選択されたと判定された場合に、この目的地が設定されていないと判定する。
【００６１】
ここで、この目的地が設定されていないと判定された場合（ＳＢ１０、Ｎｏ）、制御部４１は、この目的地となる第２施設情報の案内を繰り返すために、ＳＢ２に移行し、当該処理の直前に地図上に表示されている施設情報（すなわち、ＳＢ９にて表示された第２施設種類情報）のうちいずれか１つが操作部１０を介して選択されることにより、次の第１施設情報の指定が受け付けられるまで待機する（ＳＢ２、Ｎｏ）。
【００６２】
そして、次の第１施設情報の指定が受け付けられると（ＳＢ２、Ｙｅｓ）、これ以降、次の第１施設条件情報が取得され（ＳＢ３）、ＳＢ３にて取得された次の第１施設利用条件情報に含まれる、単位時間あたりの料金情報、営業時間情報、１台あたりの広さ情報、駐車場所情報、及び提携施設情報をそれぞれ対象として、ＳＢ５からＳＢ７の処理が順次行われ（すなわち、次の第２対象施設利用条件情報の抽出（ＳＢ５）、次の第２施設座標情報及び第２施設種類情報の取得（ＳＢ６）、及び優位条件情報の生成（ＳＢ７）が行われる）、次の第２施設情報（具体的には、第２施設種類情報）及び優位条件情報の表示が行われた後（ＳＢ９）、探索される経路の目的地が設定されたと判定されるまで、制御部４１はＳＢ２からＳＢ１０の処理を順次繰り返す。そして、探索される経路の目的地が設定されたと判定された場合には（ＳＢ１０、Ｙｅｓ）、制御部４１は、地図設定処理を終了する。
【００６３】
例えば、図６に示すように、ＳＢ６の処理直前に地図上に表示されている施設情報＝施設情報Ｐ１から施設情報Ｐ１４であって、第１施設情報＝施設情報Ｐ１が指定された場合であって、図７に示すように、第２施設座標情報及び第２施設種類情報＝施設情報Ｐ３、施設情報Ｐ４、施設情報Ｐ６、施設情報Ｐ８、施設情報Ｐ１１、及び施設情報Ｐ１３の各々に対応する施設座標情報及び施設種類情報が取得された場合において、次の第１施設情報＝施設情報Ｐ４が指定された場合には、図８に示すように、次の第２施設座標情報及び次の第２施設種類情報＝施設情報Ｐ３、施設情報Ｐ８、施設情報Ｐ１３の各々に対応する施設座標情報及び施設種類情報が取得されると共に、次の各第２施設座標情報（又は次の各第２施設種類情報）に対応する優位条件情報が生成される。次いで、ＳＢ９と同様に、当該取得された各第２施設座標情報に基づいて設定された表示位置に、対応する第２施設種類情報が所定の図形で表示されると共に、当該取得された各第２施設情報に対応する優位条件情報が、対応する第２施設種類情報の下方位置に所定の図形で表示される。そして、上記表示された次の第２施設種類情報の中から、探索される経路の目的地となる第２施設種類情報（例えば、第２施設情報Ｐ１３に対応する施設種類情報等）が操作部１０を介して指定された後に、終了選択領域Ｓ１が選択されると、当該指定された施設情報（具体的には、第２施設種類情報に対応する第１施設座標情報が示す位置）が目的地として設定される。
【００６４】
このように、次の第１施設情報が指定された場合に、第２取得部４１ｂが、施設利用条件情報ＤＢ４２ｂに格納されている施設利用条件情報の中から、所定方法で指定された次の第１施設情報に対応する次の第１施設利用条件情報に含まれる施設の利用条件のうち少なくとも一部よりも優れた利用条件を含む次の第２施設利用条件情報を抽出し、施設利用条件情報ＤＢ４２ｂに格納されている施設情報の中から、当該抽出された次の第２施設利用条件情報に対応する次の第２施設情報を取得し、案内部４１ｃが、第２取得部４１ｂにて取得された次の第２施設情報をディスプレイ２０に表示させるので、第２施設情報の案内を繰り返すことにより、案内される第２施設情報を徐々に絞り込むことができるため、ユーザのニーズに応じた施設の選定を容易に行うことができる。
【００６５】
（処理−ＰＯＩ設定処理）
次に、図３における施設案内処理におけるＰＯＩ設定処理（ＳＡ５）について説明する。ＰＯＩ設定処理は、探索される経路の目的地をＰＯＩ検索を用いて設定するための処理である。なお、図５のＳＣ３からＳＣ５、及びＳＣ７は、図４のＳＢ３からＳＢ５、及びＳＢ７とそれぞれ同様であるので、説明を省略する。
【００６６】
図５に示すように、まず、制御部４１は、ＳＡ２にて取得された施設情報に基づいて、第１施設リストを生成し、当該生成された第１施設リストをディスプレイ２０に表示させる（ＳＣ１）。ここで、「第１施設リスト」とは、ＳＡ２にて取得された施設情報を表示するためのリストである。
【００６７】
図９は、第１施設リストの表示例を示す図である。この第１施設リストの作成については、具体的には、図９に示すように、項目「施設名」、及び項目「施設住所」と、各項目に対応する情報とを、相互に関連付けて構成することにより作成される。なお、項目「施設名」に対応する情報は、図２の施設利用条件情報ＤＢ４２ｂの同一項目名に対応して格納される情報と同じであるので、説明を省略する。ここで、項目「施設住所」に対応する情報は、施設住所情報である。
【００６８】
また、この第１施設リストの表示については、具体的には、第１施設リストから施設名情報又は施設住所情報が選択可能となるように、施設名情報又は施設住所情報がリスト形式で表示される（なお、後述する第２施設リストの表示についても同様とする）。
【００６９】
図５に戻り、制御部４１は、ＳＣ１にてディスプレイ２０に表示されている施設情報（すなわち、ＳＣ１にて表示された施設名情報又は施設住所情報）のうちいずれか１つが操作部１０を介して選択されることにより、第１施設情報の指定が受け付けられるまで待機する（ＳＣ２）。
【００７０】
そして、第１施設情報の指定が受け付けられたと判定された場合（ＳＣ２、Ｙｅｓ）、制御部４１は、ＳＣ３に移行する。
【００７１】
また、ＳＣ６において、第２取得部４１ｂは、施設利用条件情報ＤＢ４２ｂに格納されている施設名情報の中から、当該抽出された第２対象施設利用条件情報に対応する施設名情報（以下、「第２施設名情報」と称する）を取得する（ＳＣ６）。
【００７２】
また、ＳＣ９において、案内部４１ｃは、各対象施設利用条件情報毎に取得された情報であって、ＳＣ６にて取得された第２施設名情報及びＳＣ７にて生成された優位条件情報に基づいて、第２施設リストを生成し、当該生成された第２施設リストをディスプレイ２０に表示させる（ＳＣ９）。ここで、「第２施設リスト」とは、各対象施設利用条件情報毎に取得された第２施設情報及び優位条件情報を表示するためのリストである。
【００７３】
図１０は、第２施設リスト及び後述する目的地設定画面Ｄの表示例を示す図である。この第２施設リストの作成については、具体的には、図１０に示すように、ＳＣ６にて取得された第２施設名情報と、ＳＣ７にて生成された優位条件情報とを、相互に関連付けて構成することにより作成される。
【００７４】
また、この第２施設リストの表示については、具体的には、図１０に示すように、第２施設リストと略同時に生成された目的地設定画面Ｄに、第２施設リストが表示される。ここで、この目的地設定画面Ｄの表示については、具体的には、この目的地設定画面Ｄは、料金表示タブＤ１と、営業表示タブＤ２と、広さ表示タブＤ３、屋内表示タブＤ４、及び提携表示タブＤ５を含んで構成されている。
【００７５】
このうち、料金表示タブＤ１は、第２施設リストにおける第２施設名情報及び優位条件情報のうち、対象施設利用条件情報＝単位時間あたりの料金情報の場合に取得された第２施設名情報と、当該第２施設名情報に対応する優位条件情報とを相互に関連付けて表示することを選択するためのタブである。また、営業表示タブＤ２は、第２施設リストにおける第２施設名情報及び優位条件情報のうち、対象施設利用条件情報＝営業時間情報の場合に取得された第２施設名情報と、当該第２施設名情報に対応する優位条件情報とを相互に関連付けて表示することを選択するためのタブである。また、広さ表示タブＤ３は、第２施設リストにおける第２施設名情報及び優位条件情報のうち、対象施設利用条件情報＝１台あたりの広さ情報の場合に取得された第２施設名情報と、当該第２施設名情報に対応する優位条件情報とを相互に関連付けて表示することを選択するためのタブである。また、屋内表示タブＤ４は、第２施設リストにおける第２施設名情報及び優位条件情報のうち、対象施設利用条件情報＝駐車場所情報の場合に取得された第２施設名情報と、当該第２施設名情報に対応する優位条件情報とを相互に関連付けて表示することを選択するためのタブである。また、提携表示タブＤ５は、第２施設リストにおける第２施設名情報及び優位条件情報のうち、対象施設利用条件情報＝提携施設情報の場合に取得された第２施設名情報と、当該第２施設名情報に対応する優位条件情報とを相互に関連付けて表示することを選択するためのタブである。なお、料金表示タブＤ１、営業表示タブＤ２、又は広さ表示タブＤ３の表示については、例えば、探索される経路の目的地となる施設の施設情報を迅速に選定することができるように、第２施設名情報が、施設の利用条件が優れている順に表示されてもよく、具体的には、料金表示タブＤ１の表示については、第２施設名情報が、単位時間あたりの料金情報が安い順に表示される。
【００７６】
図５に戻り、ＳＣ１０において、経路探索部４１ｄは、ＳＣ９にて表示された第２施設リストにおける第２施設名情報のうちいずれか１つが操作部１０を介して選択されることにより、探索される経路の目的地が設定されるまで待機する（ＳＣ１０、Ｎｏ）。
【００７７】
そして、この目的地が設定されると（ＳＣ１０、Ｙｅｓ）、制御部４１は、ＰＯＩ設定処理を終了する。
【００７８】
〔実施の形態２〕
次に、実施の形態２に係る施設案内システムについて説明する。この実施の形態２は、優位条件情報のうち、最も優れた施設の利用条件である旨を示す優位条件情報を識別可能に表示させる形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００７９】
（構成）
まず、実施の形態２に係る施設案内システムの構成を説明する。実施の形態２に係る施設案内システム１は、実施の形態１に係る施設案内システム１とほぼ同様に構成される。
【００８０】
（処理−地図設定処理）
次に、このように構成される施設案内システム１によって実行される施設案内処理における地図設定処理について説明する。図１１は、実施の形態２に係る地図設定処理のフローチャートである。図１２は、第２施設情報が地図上に表示されている状態を示す図である。なお、図１１のＳＢ１からＳＢ８は、図４のＳＢ１からＳＢ８とそれぞれ同様であるので、説明を省略する。
【００８１】
図１１に示すように、まず、ＳＢ１１において、案内部４１ｃは、各対象施設利用条件情報毎に取得された情報であって、ＳＢ６にて取得された第２施設種類情報及びＳＢ７にて生成された優位条件情報を、ディスプレイ２０に表示された地図上における対応する施設の位置にそれぞれ表示させる（ＳＢ１１）。ここで、この優位条件情報の表示については、具体的には、探索される経路の目的地となる施設の施設情報を迅速に選定することができるように、優位条件情報のうち、最も優れた施設の利用条件である旨を示す優位条件情報が識別可能に表示される。
【００８２】
例えば、図１２に示すように、ＳＢ１にて地図上に表示されている施設情報＝施設情報Ｐ１から施設情報Ｐ１４であり、第１施設情報＝施設情報Ｐ１、第２施設情報＝施設情報Ｐ３、施設情報Ｐ４、施設情報Ｐ６、施設情報Ｐ８、施設情報Ｐ１１、施設情報Ｐ１３であった場合において、対象施設利用条件情報＝単位時間あたりの料金情報の場合に、第２施設座標情報及び第２施設種類情報＝施設情報Ｐ４、施設情報Ｐ６、及び施設情報Ｐ１１の各々に対応する施設座標情報及び施設種類情報が取得された場合には、これら施設情報Ｐ４、施設情報Ｐ６、及び施設情報Ｐ１１の各々に対応する単位時間あたりの料金情報に基づいて、これら施設情報Ｐ４、施設情報Ｐ６、及び施設情報Ｐ１１のうち最も料金が安い施設情報Ｐ４が特定され、当該特定された施設情報Ｐ４に対応する優位条件情報が施設情報Ｐ６及び施設情報Ｐ１１に対応する優位条件情報とは異なる色彩で表示される（あるいは、異なる形状又は異なる大きさで表示されてもよい。また、点滅表示されてもよい。）。
また、対象施設利用条件情報＝営業時間情報の場合に、第２施設座標情報及び第２施設種類情報＝施設情報Ｐ８、及び施設情報Ｐ１３の各々に対応する施設座標情報及び施設種類情報が取得された場合には、これら施設情報Ｐ８、及び施設情報Ｐ１３の各々に対応する営業時間情報に基づいて、これら施設情報Ｐ８、及び施設情報Ｐ１３のうち最も営業時間が長い施設情報Ｐ１３が特定され、当該特定された施設情報Ｐ１３に対応する優位条件情報が施設情報Ｐ８に対応する優位条件情報とは異なる色彩で表示される。
また、対象施設利用条件情報＝１台あたりの広さ情報の場合に、第２施設座標情報及び第２施設種類情報＝施設情報Ｐ４、施設情報Ｐ６、及び施設情報Ｐ１３の各々に対応する施設座標情報及び施設種類情報が取得された場合には、これら施設情報Ｐ４、施設情報Ｐ６、及び施設情報Ｐ１３の各々に対応する１台あたりの広さ情報に基づいて、これら施設情報Ｐ４、施設情報Ｐ６、及び施設情報Ｐ１３のうち最も駐車スペースが広い施設情報Ｐ１３が特定され、当該特定された施設情報Ｐ１３に対応する優位条件情報が施設情報Ｐ４及び施設情報Ｐ６に対応する優位条件情報とは異なる色彩で表示される。
【００８３】
このように、案内部４１ｃが、当該案内部４１ｃにて生成された優位条件情報のうち、最も優れた施設の利用条件である旨を示す優位条件情報を識別可能に表示させるので、当該優位条件情報の視認性を向上させるので、施設の選定を迅速に行うことが可能になる。
【００８４】
図１１に戻り、ＳＢ１２において、経路探索部４１ｄは、ＳＢ９にて地図上に表示された第２施設種類情報のいずれか１つが操作部１０を介して選択されることにより、探索される経路の目的地が設定されるまで待機する（ＳＢ１２、Ｎｏ）。すなわち、実施の形態１の図４のＳＢ１０においては、目的地が設定されていないと判定された場合（ＳＢ１０、Ｎｏ）、ＳＢ２に移行することで、施設を徐々に絞り込めるようにしていた。これに対して、本実施の形態２における図１１のＳＢ１２においては、上記のように最も優れた施設の利用条件である旨を示す優位条件情報を識別可能に表示しており、施設を即座に選択することが可能であると考えらえるため、ＳＢ２に移行せず、探索される経路の目的地が設定されるまで待機する。
【００８５】
そして、この目的地が設定されると（ＳＢ１２、Ｙｅｓ）、制御部４１は、地図設定処理を終了する。
【００８６】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００８７】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。従来のシステムよりも、施設の選定をユーザのニーズに応じて行うことができない場合であっても、本願発明の手段が従来のシステムの手段と異なっている場合には、本願発明の課題が解決されている。
【００８８】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。例えば、施設案内装置４０を複数の装置に分散して構成したり、施設案内装置４０の一方の機能の一部を他方に持たせたりしてもよい。また、各部を分散する場合において、これら各部の相互間の連携は、有線と無線のいずれか一方又は両方により行うことができる。
【００８９】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００９０】
（施設利用条件情報について）
上記実施の形態１、２では、施設利用条件情報は、単位時間あたりの料金情報、営業時間情報、１台あたりの広さ情報、駐車場所情報、提携施設情報を含むと説明したが、これに限られず、例えば、上限料金を特定する情報、又は駐車台数を特定する情報等をさらに含んでもよい。また、施設がコンビニエンストアの場合における施設利用条件情報は、例えば、営業時間情報、及び駐車台数を特定する情報に加えて、ＡＴＭ設置の有無を特定する情報、酒販売の有無を特定する情報等をさらに含んでもよい。
【００９１】
また、上記実施の形態１、２では、第２施設利用条件情報は、対象施設利用条件情報における施設の利用条件よりも優れた利用条件を含む情報であると説明したが、これに限られず、例えば、対象施設利用条件情報における施設の利用条件と同等以上の利用条件を含む情報であってもよい。
【００９２】
（優位条件情報について）
上記実施の形態１、２では、優位条件情報は、第２施設情報に対応する第２施設利用条件情報に含まれる施設の利用条件の少なくとも一部が、第１施設利用条件情報に含まれる施設の利用条件よりも優れた利用条件である旨を示す情報であると説明したが、これに限られず、第２施設情報に対応する第２施設利用条件情報に含まれる施設の利用条件の少なくとも一部が、第１施設利用条件情報に含まれる施設の利用条件と同等以上の利用条件である旨を示す情報であってもよい。
【００９３】
（施設案内処理について）
上記実施の形態１、２では、ＳＡ３からＳＡ５の処理が行われると説明したが、ＳＡ３、ＳＡ４の処理、又はＳＡ３、ＳＡ５の処理を省略してもよい。
【００９４】
（地図設定処理及びＰＯＩ設定処理について）
また、上記実施の形態１、２では、ＳＢ７の処理が行われると説明したが、ＳＢ７の処理を省略してもよい。この場合には、ＳＢ９において、ＳＢ６にて取得された第２施設情報のみがディスプレイ２０に表示された地図上に表示される（なお、ＳＣ７、ＳＣ９の処理についても同様とする）。
【００９５】
〔実施の形態の特徴と効果の一部〕
最後に、これまでに説明した実施の形態の特徴と効果の一部を、以下に例示する。ただし、実施の形態の特徴と効果は、以下の内容に限定されず、以下の特徴の一部のみを具備することによって以下の効果の一部のみを奏する場合や、以下の特徴以外の他の特徴を具備することによって以下の効果以外の他の効果を奏する場合がある。
【００９６】
実施の形態の１つの側面１に係る施設案内システムは、地図上に設定された施設を特定する施設情報を含む地図情報を格納する地図情報格納手段と、前記施設情報と、前記施設の利用条件を特定する施設利用条件情報とを相互に関連付けて格納する施設利用条件情報格納手段と、前記地図情報格納手段に格納されている前記施設情報の中から、案内対象候補となる施設情報である第１施設情報が所定方法で指定された場合に、前記施設利用条件情報格納手段に格納されている前記施設利用条件情報の中から、当該指定された前記第１施設情報に対応する第１施設利用条件情報を取得する第１取得手段と、前記施設利用条件情報格納手段に格納されている前記施設利用条件情報の中から、前記第１取得手段にて取得された前記第１施設利用条件情報に含まれる前記施設の利用条件のうち少なくとも一部と同等以上又はそれよりも優れた利用条件を含む第２施設利用条件情報を抽出し、前記施設利用条件情報格納手段に格納されている前記施設情報の中から、当該抽出された前記第２施設利用条件情報に対応する第２施設情報を取得する第２取得手段と、前記第２取得手段にて取得された前記第２施設情報を出力手段を介して案内する案内手段と、を備えている。
【００９７】
上記側面１に係る施設案内システムによれば、施設利用条件情報格納手段に格納されている施設利用条件情報の中から、所定方法で指定された第１施設情報に対応する第１施設利用条件情報に含まれる施設の利用条件のうち少なくとも一部と同等以上又はそれよりも優れた利用条件を含む第２施設利用条件情報を抽出し、施設利用条件情報格納手段に格納されている施設情報の中から、当該抽出された第２施設利用条件情報に対応する第２施設情報を取得し、当該取得された第２施設情報を出力手段を介して案内するので、従来のシステムに比べて、ユーザのニーズに応じた施設の選定を行うことができるため、使用性を向上させることが可能となる。
【００９８】
実施の形態の他の側面２に係る施設案内システムは、上記側面１に係る施設案内システムにおいて、前記案内手段は、前記施設利用条件情報格納手段に格納された前記施設利用条件情報に基づいて、前記施設の利用条件の種類を示す優位条件情報であって、前記第２取得手段にて取得された前記第２施設情報に対応する前記第２施設利用条件情報に含まれる前記施設の利用条件の少なくとも一部が、前記第１施設利用条件情報に含まれる前記施設の利用条件と同等以上又はそれよりも優れた利用条件である旨を示す優位条件情報を生成し、当該生成された前記優位条件情報を前記出力手段に出力させる。
【００９９】
上記側面２に係る施設案内システムによれば、案内手段が、優位条件情報を出力手段に出力させるので、優位条件情報を参照しながら、ユーザのニーズに応じた施設の選定を行うことができるため、使用性を一層向上させることが可能となる。
【０１００】
実施の形態の他の側面３に係る施設案内システムは、上記側面２に係る施設案内システムにおいて、前記出力手段は、前記地図情報に基づいて地図を表示する表示手段であり、前記案内手段は、前記地図情報と、前記第２取得手段にて取得された前記第２施設情報と、当該案内手段にて生成された前記優位条件情報とに基づいて、前記地図上における前記施設のうち当該取得された前記第２施設情報に対応する前記施設の各々と対応する位置に、当該施設に対応する前記第２施設情報及び前記優位条件情報を前記表示手段に表示させる。
【０１０１】
上記側面３に係る施設案内システムによれば、案内手段が、地図上における施設のうち第２取得手段にて取得された第２施設情報に対応する施設の各々と対応する位置に、当該施設に対応する第２施設情報及び優位条件情報を表示手段に表示させるので、第２施設情報及び優位条件情報の視認性を向上させることができるため、施設の選定を容易に行うことが可能となる。
【０１０２】
実施の形態の他の側面４に係る施設案内システムは、上記側面３に係る施設案内システムにおいて、前記案内手段は、当該案内手段にて生成された前記優位条件情報のうち、最も優れた前記施設の利用条件である旨を示す前記優位条件情報を識別可能に表示させる。
【０１０３】
上記側面４に係る施設案内システムによれば、案内手段が、当該案内手段にて生成された優位条件情報のうち、最も優れた施設の利用条件である旨を示す優位条件情報を識別可能に表示させるので、当該優位条件情報の視認性を向上させるので、施設の選定を迅速に行うことが可能になる。
【０１０４】
実施の形態の他の側面５に係る施設案内システムは、上記側面１又は上記側面２に係る施設案内システムにおいて、前記出力手段は、前記地図情報に基づいて地図を表示する表示手段であり、前記第１取得手段は、前記案内手段にて前記地図上に表示された前記第２施設情報の中から、次の案内対象候補となる施設情報である次の前記第１施設情報が所定方法で指定された場合に、前記施設利用条件情報格納手段に格納されている前記施設利用条件情報の中から、当該指定された前記次の第１施設情報に対応する次の前記第１施設利用条件情報を取得し、前記第２取得手段は、前記施設利用条件情報格納手段に格納されている前記施設利用条件情報の中から、前記第１取得手段にて取得された前記次の第１施設利用条件情報に含まれる前記施設の利用条件のうち少なくとも一部と同等以上又はそれよりも優れた利用条件を含む次の前記第２施設利用条件情報を抽出し、前記施設利用条件情報格納手段に格納されている前記施設情報の中から、当該抽出された前記次の第２施設利用条件情報に対応する次の前記第２施設情報を取得し、前記案内手段は、前記第２取得手段にて取得された前記次の第２施設情報を前記表示手段に表示させる。
【０１０５】
上記側面５に係る施設案内システムによれば、次の第１施設情報が指定された場合に、第２取得手段が、施設利用条件情報格納手段に格納されている施設利用条件情報の中から、所定方法で指定された次の第１施設情報に対応する次の第１施設利用条件情報に含まれる施設の利用条件のうち少なくとも一部と同等以上又はそれよりも優れた利用条件を含む次の第２施設利用条件情報を抽出し、施設利用条件情報格納手段に格納されている施設情報の中から、当該抽出された次の第２施設利用条件情報に対応する次の第２施設情報を取得し、案内手段が、第２取得手段にて取得された次の第２施設情報を表示手段に表示させるので、第２施設情報の案内を繰り返すことにより、案内される第２施設情報を徐々に絞り込むことができるため、ユーザのニーズに応じた施設の選定を容易に行うことができる。
【符号の説明】
【０１０６】
１  施設案内システム
１０  操作部
２０  ディスプレイ
３０  スピーカ
４０  施設案内装置
４１  制御部
４１ａ  第１取得部
４１ｂ  第２取得部
４１ｃ  案内部
４１ｄ  経路探索部
４２  データ記録部
４２ａ  地図情報ＤＢ
４２ｂ  施設利用条件情報ＤＢ
Ｄ  目的地設定画面
Ｄ１  料金表示タブ
Ｄ２  営業表示タブ
Ｄ３  広さ表示タブ
Ｄ４  屋内表示タブ
Ｄ５  提携表示タブ
Ｐ１〜Ｐ１４  施設情報
Ｓ１  終了選択領域
Ｓ２  再設定選択領域
【図１】
2015190932.tif 000003
【図２】
2015190932.tif 000004
【図３】
2015190932.tif 000005
【図４】
2015190932.tif 000006
【図５】
2015190932.tif 000007
【図６】
2015190932.tif 000008
【図７】
2015190932.tif 000009
【図８】
2015190932.tif 000010
【図９】
2015190932.tif 000011
【図１０】
2015190932.tif 000012
【図１１】
2015190932.tif 000013
【図１２】
2015190932.tif 000014